(57)【要約】【課題】　本発明は、発熱素子及びその他の電子部品の熱破壊、熱劣化及び誤動作やそれらを収納する筐体の熱変形及び低温火傷を防止しつつ、プリント基板を有する電子機器の薄型化を妨げない放熱機構及びかかる放熱機構を有する電子機器を提供することを例示的目的とする。【解決手段】　冷却ファンとマザーボードに設けられた貫通孔によって放熱機構を構成し、マザーボードに実装される各種回路素子を熱的に保護して安定な動作を提供することを可能にした。【選択図】　　　　　図１
2004040125.tif 000002
【特許請求の範囲】
【請求項１】
発熱性部品を実装するための基板であり、貫通孔を有する基板と、
　前記基板の一面に対して垂直に配向する冷却ファンとを有し、
　前記冷却ファンは前記一面の放熱が可能であり、前記貫通孔は、前記冷却ファンに当該貫通孔を通じて前記一面の裏面の放熱を可能とする放熱機構。
【請求項２】
前記放熱機構はヒートシンクを有し、前記冷却ファンは前記ヒートシンクに設けられていることを特徴とする請求項１記載の放熱機構。　
【請求項３】
前記ヒートシンクは複数の冷却フィンを有し、前記冷却ファンと前記冷却フィンは、同一平面上に配置される請求項２記載の放熱機構。
【請求項４】
前記発熱性部品はプロセッサであり、前記基板はマザーボードであり、前記冷却ファンは前記マザーボードの前記プロセッサが配置される面と同一面側に設けられることを特徴とする請求項１記載の放熱機構。
【請求項５】
前記放熱機構はヒートパイプを有し、前記冷却ファンは前記ヒートパイプにより伝えられる熱を冷却することを特徴とする請求項１記載の放熱機構。
【請求項６】
前記ヒートパイプと前記ヒートシンクは熱的に接続されていることを特徴とする請求項２記載の放熱機構。
【請求項７】
前記ヒートパイプは、前記貫通孔を通じて、前記一面と前記一面の裏面間に配置されていることを特徴とする請求項５記載の放熱機構。
【請求項８】
前記冷却ファンは、前記貫通孔と連通する吸気口を有することを特徴とする請求項１記載の放熱機構。
【請求項９】
第１及び第２の面と、当該第１及び第２の面を貫通する貫通孔とを有する基板と、
　当該基板の前記第１及び第２の面に実装される発熱性部品と、
　前記第１の面に垂直に配向して前記第１の面を放熱すると共に、前記貫通孔を介して前記第２の面を放熱する冷却ファンと、
　前記基板と前記冷却ファンを収納する筐体とを有する電子機器。
【請求項１０】
前記電子機器はヒートシンクを有し、前記冷却ファンは前記ヒートシンクに設けられていることを特徴とする請求項９記載の電子機器。
【請求項１１】
前記ヒートシンクは複数の冷却フィンを有し、前記冷却ファンと前記冷却フィンは、同一平面上に配置される請求項１０記載の電子機器。
【請求項１２】
前記発熱性部品はプロセッサであり、前記基板はマザーボードであり、前記冷却ファンは前記マザーボードの前記プロセッサが配置される面と同一面側に設けられることを特徴とする請求項９記載の電子機器。
【請求項１３】
前記電子機器は、ヒートパイプを有し、前記冷却ファンは前記ヒートパイプにより伝えられる熱を冷却することを特徴とする請求項９記載の電子機器。
【請求項１４】
前記冷却ファンは、前記貫通孔と連通する吸気口を有することを特徴とする請求項９記載の電子機器。
【発明の詳細な説明】
【技術分野】
【０００１】
　本発明は、一般に放熱機構に係り、特に、電子機器に搭載された発熱性回路素子（発熱素子）から発生する熱を放出する冷却ファンを有する放熱機構に関する。本発明は、例えば、ノート型パーソナルコンピュータ（ＰＣ）のマザーボードに実装される各種回路素子の冷却ファンの取付方法に好適である。
【背景技術】
【０００２】
　ノート型ＰＣのマザーボード（又はメインボード）は、ＣＰＵソケットや様々なメモリ（ソケット）、チップセット、拡張スロット及びＢＩＯＳＲＯＭなどの回路素子を実装し、ＰＣの性能や機能を直接的に左右する。
【０００３】
　近年のノート型ＰＣは、マザーボードに搭載される各種回路素子の高速化と高機能化に伴って、発熱素子の数が増加すると共にかかる回路素子からの発熱量が増加する傾向にある。そこで、マザーボードに直接に又はソケット等を介して実装される発熱素子及びその他の回路素子を熱的に保護するためにマザーボードにはヒートシンクと呼ばれる冷却装置が設けられている。
【０００４】
　ヒートシンクは典型的に多数の高伝熱性材料からなる冷却（又は放熱）フィンを有し、自然空冷によって発熱素子を冷却する。しかし、近年の発熱素子の発熱量は自然空冷では対応できなくなる傾向にある。そこで、ヒートシンクの冷却効果を高めるために冷却ファンを更に有するファン付ヒートシンクが提案されている。ファン付ヒートシンクはファンが発生する空気流によってヒートシンクを強制的に冷却する。従来のファン付ヒートシンクは、ＣＰＵからの発熱量が最も大きいために、典型的に、マザーボードのＣＰＵの上部に設けられていた。
【０００５】
　冷却ファンは、マザーボードの一面に対して垂直に配向する横型と、平行に配向する縦型とに分類することができる。しかし、ある程度の厚さを必要とする縦型よりも横型の方が薄型化（ロープロフィール化）が要請されている近年のノート型ＰＣに適している。
【発明の開示】
【発明が解決しようとする課題】
【０００６】
　しかし、マザーボードのヒートシンク設置面の裏面にも発熱素子は設置される。従来はこれらの発熱量は無視できる程度であったが、近年の高速化及び高機能化から発熱量は無視できなくなり、当該発熱素子及びその他の回路素子の熱破壊、熱劣化及び誤動作、マザーボードを収納する筐体の熱変形や低温火傷等の影響も大きくなってきた。このため、近年ではマザーボードの両面（表裏面）を冷却する必要が生じてきた。
【０００７】
　これに対して、両面に冷却ファンを設けることが考えられるが、かかる方法は、製造コストの増加、冷却ファンを駆動するための電力消費の増加、及び、冷却ファンの駆動に伴う雑音の増大を伴う。
【０００８】
　そこで、マザーボードの両面を一の冷却ファンにより冷却する放熱機構が公開実用新案公報平成６年第１３３６４号によって提案されている。かかる放熱機構１０は、図７に示すように、外枠１、冷却ファン２、固定舌片３、コネクタ４、マザーボード５及びコネクタ６を有する。ここで、図７は、従来の放熱機構１０の概略斜視図である。外枠１は、その両側に設けられた固定部品３及び図示しないネジを介してマザーボード５に設けられた貫通孔に固定される。この結果、コネクタ４及び６が電気的に接続し、冷却ファン２はマザーボード５と電気的に接続する。
【０００９】
　図７に示す冷却ファン２は、外枠１をマザーボード５に埋め込むため、マザーボード５の両面を同時に冷却することができる。また、外枠１に付けられた固定部品３の取付位置を任意の個所に上下移動すれば、外枠１のマザーボード５に対する取付高さが変化するため、より発熱量の多い面を効果的に冷却することもできる。
【００１０】
　しかし、冷却ファン２は縦型であるため、上述したように、ロープロファイルなノート型ＰＣには不向きである。このため、マザーボードの両面を効率よく冷却することができ、かつ、ノート型ＰＣの薄型化を妨げない放熱機構が要請されていた。
【課題を解決するための手段】
【００１１】
　そこで、本発明は、このような従来の課題を解決する新規かつ有用な放熱機構及びかかる放熱機構を有する電子機器を提供することを本発明の概括的目的とする。
【００１２】
　より特定的には、本発明は、発熱素子及びその他の電子部品の熱破壊、熱劣化及び誤動作やそれらを収納する筐体の熱変形及び低温火傷を防止しつつ、プリント基板を有する電子機器の薄型化を妨げない放熱機構及びかかる放熱機構を有する電子機器を提供することを例示的目的とする。
【００１３】
　上記目的を達成するために、本発明の例示的一態様としての放熱機構は、発熱性部品を実装するための基板であり、貫通孔を有する基板と、前記基板の一面に対して垂直に配向する冷却ファンとを有し、前記冷却ファンは前記一面の放熱が可能であり、前記貫通孔は、前記冷却ファンに当該貫通孔を通じて前記一面の裏面の放熱を可能とする。かかる放熱機構は横型冷却ファンを有するため、縦型冷却ファンを使用する場合よりも当該プリント基板を収納する電子機器の筐体の薄型化を妨げない。冷却ファンはそれが設置されている面の放熱には貫通孔を使用しない。また、貫通孔は冷却ファンに裏面の冷却を可能にする寸法を有する。この結果、一の冷却ファンにより裏面の放熱も簡易に行うことができる。冷却ファンは典型的には基板に設けられるが、基板を収納する筐体側に設けられてもよい。
【００１４】
　前記放熱機構はヒートシンクを有し、前記冷却ファンは前記ヒートシンクに設けられてもよい。この場合、ファン付ヒートシンクは冷却機能を高めると共に冷却フィンと冷却ファンとが同一平面上にあるので放熱機構の薄型化に寄与する。また、前記発熱性部品は、例えば、プロセッサであり、前記基板は、例えば、マザーボードであり、前記冷却ファンは、例えば、前記マザーボードの前記プロセッサと同一面側に設けられる。プロセッサはＣＰＵを包括し得る概念である。かかる場合には、放熱機構は従来から通常設けられるＣＰＵ用のファン付ヒートシンクの冷却ファンを本発明の放熱機構の冷却ファンにそのまま利用することができ、多機能化を図ることができる。
【００１５】
　前記放熱機構はヒートパイプを有し、前記冷却ファンは前記ヒートパイプにより伝えられる熱を冷却してもよい。また、前記ヒートパイプと前記ヒートシンクは熱的に接続されている。前記ヒートパイプは、前記貫通孔を通じて、前記一面と前記一面の裏面間に配置されていてもよい。この場合、放熱機構は前記ヒートパイプを特定の発熱源（発熱性部材）と連結すれば、その部分を効率的又は集中的に冷却することができる。
【００１６】
　前記冷却ファンは、前記貫通孔と連通する吸気口を有することができる。かかる場合には、冷却ファンは吸気口及び貫通孔を介して裏面の放熱を行うことができる。なお、前記吸気口は前記冷却ファンを収納する筐体を貫通してもよい。
【００１７】
　本発明の例示的一態様としての電子機器は、第１及び第２の面と、当該第１及び第２の面を貫通する貫通孔とを有する基板と、当該基板の前記第１及び第２の面に実装される発熱性部品と、前記第１の面に垂直に配向して前記第１の面を放熱すると共に、前記貫通孔を介して前記第２の面を放熱する冷却ファンと、前記基板と前記冷却ファンを収納する筐体とを有する。かかる電子機器は上述の放熱機構を有するために筐体の薄型化を維持しつつ基板の両面を効率的に冷却することができる。かかる電子機器は、ノート型ＰＣ、ワードプロセッサ、パーソナル・ディジタル・アシスタンツ（ＰＤＡ）その他の携帯型電子機器（携帯型ゲーム装置、各種ドライブなど）に好適である。
【００１８】
　前記電子機器は多数の冷却フィンを有するヒートシンクを更に有し、前記冷却ファンと前記ヒートシンクはファン付ヒートシンクを構成し、前記冷却ファンと前記冷却フィンは同一平面上に配置されてもよい。この場合、ファン付ヒートシンクは冷却機能を高めると共に冷却フィンと冷却ファンとが同一平面上にあるのでファン付ヒートシンク自体の薄型化に寄与する。また、前記発熱性部品は、例えば、プロセッサであり、前記基板は、例えば、マザーボードであり、前記冷却ファンは、例えば、前記マザーボードの前記プロセッサと同一面側に設けられる。プロセッサはＣＰＵを包括し得る概念である。かかる場合には、前記電子機器はノート型ＰＣであれば放熱効果の高いロープロフィールのノート型ＰＣを提供することができる。また、電子機器は従来から通常ノート型ＰＣに設けられるＣＰＵ用のファン付ヒートシンクの冷却ファンを本発明の電子機器の冷却ファンにそのまま利用することができ、多機能化を図ることができる。
【００１９】
　前記電子機器はヒートパイプを有し、前記冷却ファンは前記ヒートパイプにより伝えられる熱を冷却してもよい。この場合、電子機器は前記ヒートパイプを特定の発熱源（発熱性部材）と連結すれば、その部分を効率的又は集中的に冷却することができる。
【００２０】
　前記冷却ファンは、前記貫通孔と連通する吸気口を有することができる。かかる場合には、冷却ファンは吸気口及び貫通孔を介して裏面の放熱を行うことができる。なお、前記吸気口は前記冷却ファンを収納する筐体を貫通してもよい。
【００２１】
　本発明の他の目的と更なる特徴は、以下、添付図面を参照して説明される実施例において明らかになるであろう。　　　　
【発明の効果】
【００２２】
　本発明の放熱機構及び電子機器によれば、横型冷却ファンが縦型冷却ファンを使用する場合よりもプリント基板を収納する電子機器の筐体の薄型化を妨げない。また、一の冷却ファンにより裏面の放熱も簡易に行うことができ、プリント基板上の回路素子の熱破壊、熱劣化及び誤動作を防止することができる。
【発明を実施するための最良の形態】
【００２３】
　以下、図１乃至図４を参照して、本発明の例示的一態様としての放熱機構１００を説明する。本発明の放熱機構は少なくとも横型冷却ファンを含むが、本実施例はファン付ヒートシンク１１０の冷却ファン１３０を利用している。本実施例の放熱機構１００は、ファン付ヒートシンク１１０と貫通孔１６６を有するマザーボード１６０によって構成される。ここで、図１は、本発明の例示的一態様としての放熱機構１００の分解斜視図である。また、図２は、放熱機構１００のマザーボード１６０の裏面を示す斜視図である。図３は、図１に示すファン付ヒートシンク１１０を示す概略拡大斜視図である。図４は、図３のファン付ヒートシンク１１０の内部を示す斜視図である。
【００２４】
　本実施例の放熱機構１００は、図１に点線で示すＣＰＵ１５０（又は、ＭＰＵとも称する。広義では、プロセッサを意味するものであって、以下、本出願では、同様に扱うものとする。）を冷却するためにＣＰＵ１５０上に熱的に接触して設けられるファン付ヒートシンク１１０を利用している。ファン付ヒートシンク１１０は、筐体１２０と、冷却ファン１３０と、複数の冷却フィン１４０（図４）とを有している。
【００２５】
　筐体１２０は、例えば、アルミニウム、銅、窒化アルミニウム、人工ダイヤモンド、プラスチック等の高熱導電性材料から構成されるほぼ直方体形状フレームであり、上面１２２と、取付孔１２３ａと、取付溝１２３ｂと、下面１２４と、吸気口１２５と、端面１２６と、排気口１２７と、収納部１２８とを有する。ヒートシンク１１０は板金加工、アルミダイキャストその他の方法によって製造される。筐体１２０は、プラスチック製であれば、例えば、射出成形によって形成されてもよい。筐体１２０の一部（例えば、冷却ファン１３０と冷却フィン１４０）は分割可能であってもよい。
【００２６】
　ここで、吸気口１２５は、筐体１２０の上面側１２２と下面側１２４の両方に設けられている。図３に示すように、吸気口１２５は、上面１２２と下面１２４を貫通している。よりわかり易くは、図４で示すように、下面側１２４にも吸気口１２５が設けられているのが判る。このファン付きヒートシンク１１０（図１、図３）は、ヒートシンク１１０の上下面１２２及び１２４の両面から吸気が可能である。
【００２７】
　冷却ファン１３０及び／又は冷却フィン１４０の交換又は保守の便宜のために、筐体１２０の上面１２２は、図４に示すように、蓋部として、下面１２４を含む本体部から取り外し可能に構成されることが好ましい。代替的に、図１に示すヒートシンク１１０の代わりに図４に示す蓋部のないヒートシンクを使用することもできるが、冷却ファン１３０の回転に伴う騒音を低減するために蓋部が設けられることが好ましい。
【００２８】
　筐体１２０は、冷却ファン１３０と冷却フィン１４０とを収納部１２８に収納している。収納部１２８は冷却フィン１３０を収納する半円部と冷却フィン１４０を収納する直方部とを有する。収納部１２８は、冷却ファン１３０が発生する空気流が通過する風洞空間としても機能する。筐体１２０もその表面から放熱を行うことができるので、必要があれば、上下面１２２及び１２４その他の面を突起状にして表面積を増大させて放熱効果を高めてもよい。
【００２９】
　図１において、取付孔１２３ａ及び取付溝１２３ｂは上下面１２２及び１２４を貫通してビス１７０と係合する。ビス１７０を中空にして、マザーボード１６０に設けられたＣＰＵ１５０を設置用のソケット１５１を貫通するピン１７２と係合可能に構成してもよい。ソケット１５１はＣＰＵ１５０を交換可能にする。代替的に、ビス１７０はマザーボード１６０の図示しない孔を貫通してマザーボード１６０に、必要があれば、図示しないナットなどを介して固定される。この結果、筐体１２０は、取付孔１２３ａ及び取付溝１２３ｂとビス１７０を介して、マザーボード１６０に固定される。もっとも、筐体１２０とＣＰＵ１５０を熱的に接続する手段は問わない。例えば、両者を熱伝導性接着剤や半だ付け（クリーム半だとリフロー炉を利用するなど）によって接着したり、先端にスリット付頭部を有する取付ピンをマザーボード１６０の後述する面１６４から挿入して取付孔１２３ａ及び取付溝１２３ｂから突出した部分にコイルばねを掛けて固定したりしてもよい。
【００３０】
　図１、図３及び図４において、吸気口１２５は、上下面１２２及び１２４を貫通して冷却ファン１３０を外部に連通させる。また、吸気口１２５はマザーボード１６０の後述する貫通孔１６６に連通している。端面１２６には排気口１２７が設けられており、冷却ファン１３０及び冷却フィン１４０に連通している。吸気口１２５は、ＣＰＵ１５０からの発熱と共に、広くマザーボード１６０に実装されている発熱素子からの暖気を筐体１２０内に導入する機能を有する。
【００３１】
　この結果、吸気口１２５は、上下面１２２及び１２４においてマザーボード１６０の後述する面１６２側の暖気を筐体１２０内に導入することができ、下面１２４において貫通孔１６６を介してマザーボード１６０の後述する面１６４からの暖気を筐体１２０内に導入することができる。即ち、冷却ファン１３０の両側（１２２及び１２４側）から、筐体１２０内に導入できる。導入された暖気は冷却ファン１３０によって後述する冷却フィン１４０に供給されて熱交換を経た後で排気口１２７から排気される。導入された暖気はかかる熱交換により冷却される。排気口１２７は、後述するノート型ＰＣ２００の側部２２５に内蔵されている図示しない放熱用板金又は側部２２５に設けられた排気口付近に連通している。また、上述したように、暖気の熱は筐体１２０の表面からも放出される。
【００３２】
　吸気口１２５は、本実施例では、冷却ファン１３０の全部が外部に露出する程度の大きさを有するが、その大きさは任意に設定することができ、また、必要があれば、複数の孔（例えば、メッシュ構造）から構成されてもよい。
【００３３】
　必要があれば、筐体１２０は、例えば、下面１２４を有する底部を中空にして冷却水（水その他の冷媒（例えば、フレオン、アルコール、アンモニア、ガルデン、フロン等））を収容してヒートパイプ板を構成してもよい。また、中空部にメッシュ（又はウイック）を挿入して毛細管現象により冷却水を還流させると更に効果的である。また、筐体１２０は、必要があれば、外部のヒートパイプなどと接続されてもよい。ここで、ヒートパイプは、アルミニウム、ステンレス、銅などで形成された高低差のあるパイプを有する。パイプは、その内側にガラス繊維や網状の細い銅線などで形成したウイック材を張り、内部を減圧にして水などの冷却水を収納する。低位置にある発熱体から熱を得ると冷却水が気化して高位置に移動し、高位置において自然又は強制冷却されて再び液化して低位置に戻るサイクルを繰り返して発熱体を冷却する。前記ヒートパイプを特定の発熱源と連結すれば、その部分を効率的又は集中的に冷却が可能となる。
【００３４】
　また、他の実施の形態として、貫通孔１６６を利用して、ファン付きヒートシンク１１０に接続されたヒートパイプ６１をマザーボード１６０の裏面１６４に延伸させることが可能である。この実施の形態を図６に示す。図６のファン付きヒートシンク１１００の側面にヒートパイプ６１が連結されている。ヒートパイプ６１は、マザーボード１６０の上面１６２から貫通孔１６６を通じてマザーボード１６０の裏面１６４に延伸する。図６中のヒートパイプ６１の点線部で、吸気口１２５の下に位置する部分がマザーボード１６０の貫通孔１６６を通過する。なお、図６では、マザーボード１６０の図は省略している。ヒートパイプ６１は、裏面１６４側で発熱性の電子部品などと図中の６２の位置で連結して、その熱をファン付きヒートシンク１１００に移動させる。従って、ヒートパイプ６１により伝えられる熱が冷却ファン１３０により放熱される。この構成により、貫通孔１６６の裏面１６４からの吸気とヒートパイプの配置に兼用が可能となる。なお、図６のファン付きヒートシンク１１００の構造は、図１、図３及び図４のファン付きヒートシンク１１０と、ヒートパイプ６１が連結されている以外は、同じである。従って、図６では、冷却ファン１３０などの図は省略する。
【００３５】
　冷却ファン１３０は回転して空気流を発生することによって冷却フィン１４０を強制的に冷却する。冷却ファン１３０は、動力部１３２と、動力部１３２に固定されるプロペラ部１３４とを有する。動力部１３２は、典型的に、回転軸と、回転軸の周りに設けられたベアリングと、ベアリングハウスと、モータを構成する磁石とを有するが、動力部１３２は当業界で周知のいかなる構造も使用することができるので、ここでは詳細な説明は省略する。もっとも、ベアリングハウスへの電熱を防止するためにベアリングハウスの内周壁面に断熱部が形成されることが好ましい。断熱部は、例えば、フッ素系樹脂、シリコン系樹脂などの低伝熱性材料を薄膜上にして形成される。
【００３６】
　プロペラ部１３４は所望の角度に形成された所望の数の回転翼を有する。回転翼は等角的又は非等角的に配置され、所望の寸法を有する。冷却ファン１３０は、動力部１３２とプロペラ部１３４とは分割可能でも分割不能でもよい。なお、冷却ファン１３０に接続される配線は図示が省略されている。前述した通り、冷却ファン１３０は、吸気口１２５が筐体１２０の両側（１２２及び１２４側）に設けられているので、両側から吸気することができる。
【００３７】
　本実施例の冷却ファン１３０は、マザーボード１６０の一面（表面１６２）に対して垂直に配向しているために横型である。このため、後述するノート型ＰＣ２００に収納された場合にそのベース２２０をロープロフィールに維持することができる。また、冷却ファン１３０は以下に説明する冷却フィン１４０と同一平面上に配置されており、かかる構造も後述するノート型ＰＣ２００のベース２２０の薄型化に寄与する。上述したように、冷却ファン１３０の下部にはマザーボード１６０の貫通孔１６６が位置している。
【００３８】
　冷却フィン１４０は整列した多数の板状フィン１４２から構成されている。冷却フィン１４０は凸形状を有して表面積を増加させているので放熱効果が増加している。もっともフィン１４２の形状は板状に限定されず、ピン状、湾曲形状など任意の配置形状を採用することができる。また、フィン１４２は、一定間隔で横に整列する必要はなく、放射状に配置されたり、下面１２４に対して傾斜して配置されたりしてもよい。また、フィン１４２は冷却ファン１３０の周りに配置されてもよい。フィン１４２の数も任意に設定することができる。フィン１４２はアルミニウム、銅、窒化アルミニウム、人工ダイヤモンド、プラスチックなどの高熱伝導性材料で形成されることが好ましい。フィン１４２は、金型成形、圧入、ロウ付け、溶接、射出成形などによって形成される。
【００３９】
　収納部１２８のうち冷却フィン１４０を載置する部分の真下にＣＰＵ１５０が配置される。換言すれば、取付孔１２３ａ及び取付溝１２３ｂで囲まれた部分の収納部に冷却フィン１４０は形成される。冷却フィン１４０とＣＰＵ１５０とは熱的に接続しており、この結果、ＣＰＵ１５０からの熱は効率的に冷却フィン１４０に熱伝達される。また、冷却フィン１４０は冷却ファン１３０からの送風を受けて効率よく放熱を行うことができる。
【００４０】
　本実施例のファン付ヒートシンク１１０は、冷却ファン１３０が冷却フィン１４０の上部に配置される構造よりも放熱効率が一般に高い。これは、（１）冷却ファンが冷却フィンの上部にあると、動力部の真下にある冷却フィンの部分にプロペラ部からの送風量が少なくなり効果的な冷却が行えないこと、及び、（２）ＣＰＵの発熱源はその中央部に集中していること、などによる。しかし、本実施例の冷却フィン１４０は、動力部１３２による送風の妨害を受けないので高い放熱効率を有する。
【００４１】
　選択的に、冷却フィン１４０と上面１２２とをその間に熱伝導弾性体（例えば、シリコンゴムなど）を介在させることにより熱伝導させて法熱効果を高めてもよい。かかる構造は、冷却フィン１４０が冷却ファン１３０の回転に伴う振動及び振動に伴う雑音の除去にも寄与する。熱伝導弾性体が冷却ファン１３０の回転に伴う振動を吸収することによりビス１７０の緩みも防止することができる。
【００４２】
　本実施例は、上述したように、ファン付ヒートシンクを利用している。通常、ＣＰＵ１５０の冷却用にヒートシンクが設けられているため、かかるヒートシンクがファン付ヒートシンクである場合に、本発明の放熱機構１００は新たな冷却ファンを必要とせずにファン付ヒートシンク内の冷却ファンを多機能化している。これによって、新たな冷却ファンを設ける場合の製造コストの増加、消費電力の増大、冷却ファンの回転に伴う雑音の増大を抑えることができる。
【００４３】
　また、冷却ファンが冷却フィンの上部に配置されるファン付ヒートシンクを使用する代わりに冷却ファンが冷却フィンと同一平面上に配置されたファン付ヒートシンク１１０を利用している。かかる構造は冷却ファン１３０とマザーボード１６０の貫通孔１６６との連通を容易にする。もっとも、冷却ファン１３０とマザーボード１６０の貫通孔１６６との連通が確保される限り、冷却ファン１３０と冷却フィン１４０とは同一平面上に配置される必要はないことが理解されるであろう。
【００４４】
　本発明の放熱機構１００に使用される冷却ファン１３０は必ずしもファン付ヒートシンクの一部である必要はない。例えば、ＣＰＵ１５０の冷却装置を単に冷却フィン１４０のみを有するヒートシンクとして、冷却ファン１３０を冷却フィン１４０とは無関係に配置してもよい。例えば、冷却ファン１３０は、図１においてマザーボード１６０の右側（即ち、冷却フィン１４０と反対側）に設けてもよいし、マザーボード１６０の面１６４側に設けてもよい。また、冷却ファン１３０はマザーボード１６０に実装されることは必ずしも必要ではなく、マザーボード１６０を収納するノート型ＰＣ２００のベース２２０や放熱用板金その他の部材に取り付けてもよい。換言すると、本発明の放熱機構１００に使用される冷却ファン１３０は貫通孔１６６を介してマザーボード１６０の両面１６２及び１６４の暖気を引き込んで放熱を行える限り、更に、冷却フィン１４０の強制冷却を行うかどうかは選択的である。例えば、冷却ファン１３０は、マザーボード１６０の両面１６２及び１６４の暖気をベース２２０に設けられた図示しないメッシュ状の排気口から換気するだけでも足りる。
【００４５】
　マザーボード１６０はＣＰＵソケット１５１や様々なメモリ（ソケット）、チップセット、拡張スロット及びＢＩＯＳＲＯＭなどの回路素子を実装するプリント基板であり、表面１６２、裏面１６４及び両面１６２及び１６４を貫通する貫通孔１６６を有する。図１及び図２においては、マザーボード１６０に実装されるその他の各種回路素子は省略されている。
【００４６】
　ＣＰＵソケット１５１の近傍には図示しないメモリ（ＳＲＡＭなど）とＣＰＵ用チップセットが配置されている。ＣＰＵ用チップセットは、ＣＰＵ１５０とメモリを相互に接続してその間のデータフローを制御する機能を有し、典型的に、ＣＰＵ１５０とメモリとの間に配置される。メモリもＣＰＵ用チップセットも発熱素子である。貫通孔１６６はメモリやＣＰＵ用チップセットの配置を妨げないように設けられる。
【００４７】
　貫通孔１６６は、裏面１６４の換気のために、少なくとも約８ｍｍ以上、好ましくは、約１０ｍｍ以上の直径を有する。「約８ｍｍ」とは、マザーボード１６０上に典型的に設けられているネジ孔や検査用孔は含まない趣旨である。これらのネジ孔等は裏面１６４の換気には小さすぎるからである。本実施例において、貫通孔１６４の形状は円形であったが、これに限らず、楕円、多角形など任意の形状を有することができる。換言すれば、貫通孔１６６は、少なくとも約１６πｍｍ２以上、好ましくは、約２５πｍｍ２以上の面積を有する。貫通孔１６６は、冷却ファン１３０に連通する必要がある。「連通」とは、冷却ファン１３０が貫通孔１６６を介して裏面１６４を換気することができるという意味である。
【００４８】
　貫通孔１６６は一つの孔が上述の面積を有してもよいが、複数の孔に分割されてそれらの孔の総面積が上述の面積の要件を満足すれば足りる。この場合には、複数の孔は近接して配置されることが好ましい。近接の程度は、各孔と冷却ファン１３０との連通を確保するのに十分な程度である。例えば、貫通孔１６６はマザーボード１６６に設けられたメッシュ孔であってもよい。また、各孔の形状や大きさは同一であってもよいし、異なってもよい。
【００４９】
　放熱機構１１０の動作は、図５を参照して以下に説明する放熱機構１００を適用可能なノート型ＰＣ２００の動作において説明する。ここで、図５は、本発明のノート型ＰＣ２００の概略斜視図である。図５に示すように、ノート型パソコン２００は、ヒンジ２０２によって接続された液晶ディスプレイ（ＬＣＤ）ベゼルフレーム２１０とベース２２０とを有している。ＬＣＤベゼルフレーム２１０にはＬＣＤ画面２１２が配置されている。典型的に、ベース２２０はプラスチック材料からなり、厚さ約５０ｍｍ以下で、好ましくは、厚さ約２０乃至３０ｍｍを有する。本発明の放熱機構１００は横型冷却ファン１３０を利用し、かつ、冷却ファン１３０を冷却フィン１４０の上部に配置せずに同一平面上に配置しているので、ロープロフィールベース２２０を維持することができる。ＬＣＤベゼルフレーム２１０は、ＬＣＤ画面２１２を保持する実質的に矩形状を有する。
【００５０】
　ベース２２０は、情報タイプ用のキーボードセクション２２２を含んでいるが、キーボードの種類及びキーボード配列は種類を問わない。キーボードの種類は、１０１、１０６、１０９、エルゴノミックなどを問わず、キーボード配列もＱＷＥＲＴＹ配列、ＤＶＯＲＡＫ配列、ＪＩＳ配列、新ＪＩＳ配列、日本語入力コンソーシアム基準配列（ＮＩＣＯＬＡ：Ｎｉｈｏｎｇｏ Ｎｙｕｒｙｏｋｕ ＣＯｎｔｈｏｔｉｕｍ Ｌａｙｏｕｔ）などを問わない。
【００５１】
　ベース２２０は、マウス機能の一部をエミュレートするポインティングデバイス２２４も含んでいる。図５に示す構造に関わらず、ポインティングデバイス２２４はマウス、トラックボール、トラックパッド、タブレット、ディジタイザー、ジョイスティック、ジョイパッド、タッチパネル、スタイラスペンなどを含む。
【００５２】
　また、ベース２２０は、側部２２５において内部に図示しない放熱用板金及び／又は排気口を有する。かかる放熱用板金及び／又は排気口は排気口１２７に連通している。即ち、排気口１２７近傍の下面１２４は放熱用板金に接続されたり、排気口１２７から放出される空気は放熱用板金に吹き付けられたり、側部２２５の排気口から外部に放出可能に構成されている。放熱用板金に接続されるとファン付ヒートシンク１１０の温度は恒常的にほぼ一定に（例えば、室温に）維持される。
【００５３】
　動作において、ノート型ＰＣ２００のユーザはキーボード２２２又はポインティングデバイス２２４を操作してベース２２０に収納された図示しないハードディスクに格納されたプログラムを実行する。このとき、ＣＰＵ１５０はハードディスク及び図示しないＲＯＭから必要なデータを図示しないメモリにダウンロードする。この際、ＣＰＵ１５０から発生する熱は、熱結合されたファン付ヒートシンク１１０の筐体１２０及び筐体１２０の下面１２４を介して冷却フィン１４０に熱伝達する。この結果、冷却フィン１４０及び筐体１２０の表面から当該熱は自然空冷される。また、冷却ファン１３０からの送風は冷却フィン１４０を強制冷却する。
【００５４】
　マザーボード１６０の表面１６２に実装されているメモリやＣＰＵ用チップセットその他の発熱素子からの暖気は、冷却ファン１３０によって貫通孔１６６を介さずに吸気口１２５から筐体１２０の内部に導入される。導入された暖気は冷却ファン１３０によって収納部（風洞空間）１２８から排気口１２７へ排気される。暖気は収納部１２８を通過する間に冷却フィン１４０及び筐体１２０との熱交換により冷却される。冷却フィン１４０が冷却ファン１３０による強制冷却を受けることは上述のとおりである。また、排気口１２７から排出された空気は放熱用板金に吹き付けられて更に冷却されるか、側部２２５に設けられる排気口から外部に排出される。
【００５５】
　マザーボード１６０の裏面１６４に実装されている発熱素子からの暖気は、冷却ファン１３０によって貫通孔１６６を介して吸気口１２５から筐体１２０の内部に導入される。導入された暖気は冷却ファン１３０によって収納部（風洞空間）１２８から排気口１２７へ排気される。暖気は収納部１２８を通過する間に冷却フィン１４０及び筐体１２０との熱交換により冷却される。冷却フィン１４０が冷却ファン１３０による強制冷却を受けることは上述の通りである。また、排気口１２７から排出された空気は放熱用板金に吹き付けられて更に冷却されるか、側部２２５に設けられる排気口から外部に排出される。
【００５６】
　この結果、ＣＰＵ１５０及びその他の回路素子は、マザーボード１６０の表面１６２にあると裏面１６４にあるとを問わず、熱的に保護される。この結果、ノート型ＰＣ２００の回路素子は熱破壊、熱劣化及び誤動作を受けることなく、ユーザは所期の処理を行うことができる。また、プラスチック材料からなるベース２２０も発熱により熱変形や低温火傷を招くことがない。
【００５７】
　また、本実施例の形態は、ファン付きヒートシンク１１０がマザーボード１６０の上下両面から吸気し、排気口１２７から排気する場合を例示的に説明したが、空気の流れがこの逆であってもよい。この場合には、排気口１２７を吸気口として利用して、ファン付きヒートシンク１１０がマザーボード１６０の上下両面を排気する構成となる。かかる構成でも、放熱の効果はあり、本発明の請求項はこの構成を除くものではない。
【００５８】
　以上、本発明の好ましい実施例について説明したが、本発明はこれらの実施例に限定されないことはいうまでもなく、その要旨の範囲内で種々の変形及び変更が可能である。例えば、本発明の放熱機構が適用可能な電子機器はノート型パソコンに限定されず、デスクトップ型ＰＣ、ワードプロセッサ、パーソナル・ディジタル・アシスタンツ（ＰＤＡ）その他の携帯型電子機器（携帯型ゲーム装置、各種ドライブなど）に広く適用することができる。
【図面の簡単な説明】
【００５９】
【図１】本発明の例示的一態様としての放熱機構の分解斜視図である。
【図２】図１に示す放熱機構のマザーボードを裏面から見た斜視図である。
【図３】図１に示す放熱機構のファン付ヒートシンクの概略拡大斜視図である。
【図４】図３に示すファン付ヒートシンクの内部を示す斜視図である。
【図５】図１に示す放熱機構を適用可能なノート型パーソナルコンピュータの概観斜視図である。
【図６】本発明の別の例示的一態様としてのファン付きヒートシンクの概略斜視図である。
【図７】従来の放熱機構の概観拡大斜視図である。
【符号の説明】
【００６０】
１００　　　　放熱機構
１１０　　　　ファン付ヒートシンク
１２０　　　　筐体
１２５　　　　吸気口
１２７　　　　排気口
１２８　　　　収納部
１３０　　　　冷却ファン
１４０　　　　冷却フィン
１４２　　　　フィン
１５０　　　　ＣＰＵ
１６０　　　　マザーボード
１６６　　　　貫通孔
２００　　　　ノート型パーソナルコンピュータ
２１０　　　　ＬＣＤベゼルフレーム
２２０　　　　ベース
【図１】
2004040125.tif 000003
【図２】
2004040125.tif 000004
【図３】
2004040125.tif 000005
【図４】
2004040125.tif 000006
【図５】
2004040125.tif 000007
【図６】
2004040125.tif 000008
【図７】
2004040125.tif 000009
【手続補正書】
【提出日】平成15年8月7日(2003.8.7)
【手続補正１】
【補正対象書類名】特許請求の範囲
【補正対象項目名】全文
【補正方法】変更
【補正の内容】
【特許請求の範囲】
【請求項１】
発熱性部品を実装するための基板であり、貫通孔を有する基板と、
　前記基板の一面に対して垂直に配向する冷却ファンとを有し、
　前記冷却ファンは前記一面の放熱が可能であり、前記貫通孔は、前記冷却ファンに当該貫通孔を通じて前記一面の裏面の放熱を可能とする放熱機構。
【請求項２】
前記発熱性部品はプロセッサであり、前記基板はマザーボードであり、前記冷却ファンは前記マザーボードの前記プロセッサが配置される面と同一面側に設けられることを特徴とする請求項１記載の放熱機構。
【請求項３】
前記放熱機構はヒートパイプを有し、前記冷却ファンは前記ヒートパイプにより伝えられる熱を冷却することを特徴とする請求項１記載の放熱機構。
【請求項４】
前記ヒートパイプと前記ヒートシンクは熱的に接続されていることを特徴とする請求項３記載の放熱機構。
【請求項５】
前記冷却ファンは、前記貫通孔と連通する吸気口を有することを特徴とする請求項１記載の放熱機構。
【請求項６】
第１及び第２の面と、当該第１及び第２の面を貫通する貫通孔とを有する基板と、
　当該基板の前記第１及び第２の面に実装される発熱性部品と、
　前記第１の面に垂直に配向して前記第１の面を放熱すると共に、前記貫通孔を介して前記第２の面を放熱する冷却ファンと、
　前記基板と前記冷却ファンを収納する筐体とを有する電子機器。
【請求項７】
前記発熱性部品はプロセッサであり、前記基板はマザーボードであり、前記冷却ファンは前記マザーボードの前記プロセッサが配置される面と同一面側に設けられることを特徴とする請求項６記載の電子機器。
【請求項８】
前記電子機器は、ヒートパイプを有し、前記冷却ファンは前記ヒートパイプにより伝えられる熱を冷却することを特徴とする請求項６記載の電子機器。
【請求項９】
前記ヒートパイプと前記ヒートシンクは熱的に接続されていることを特徴とする請求項６記載の電子機器。
【請求項１０】
前記冷却ファンは、前記貫通孔と連通する吸気口を有することを特徴とする請求項６記載の電子機器。
【請求項１１】
回転軸線が、回路基板に設けられた貫通穴と交差する冷却ファンと、
　前記冷却ファンの周囲に設けられ、前記回路基板の表面と垂直方向に幅のある壁と、
　前記壁により区画される排気口と、を有し、
　前記冷却ファンは前記壁に支持されている放熱ユニット。
【請求項１２】
前記冷却ファンは遠心ファンであることを特徴とする請求項１１記載の放熱ユニット。
【請求項１３】
前記冷却ファンに取り付けられたフィンは、前記回転軸線と平行に広がっていることを特徴とする請求項１１記載の放熱ユニット。
【手続補正２】
【補正対象書類名】明細書
【補正対象項目名】００５８
【補正方法】変更
【補正の内容】
【００５８】
　以上、本発明の好ましい実施例について説明したが、本発明はこれらの実施例に限定されないことはいうまでもなく、その要旨の範囲内で種々の変形及び変更が可能である。例えば、本発明の放熱機構が適用可能な電子機器はノート型パソコンに限定されず、デスクトップ型ＰＣ、ワードプロセッサ、パーソナル・ディジタル・アシスタンツ（ＰＤＡ）その他の携帯型電子機器（携帯型ゲーム装置、各種ドライブなど）に広く適用することができる。
　本出願はさらに以下の事項も開示する。
　（付記１）　発熱性部品を実装するための基板であり、貫通孔を有する基板と、前記基板の一面に対して垂直に配向する冷却ファンとを有し、前記冷却ファンは前記一面の放熱が可能であり、前記貫通孔は、前記冷却ファンに当該貫通孔を通じて前記一面の裏面の放熱を可能とする放熱機構。
　（付記２）　前記放熱機構はヒートシンクを有し、前記冷却ファンは前記ヒートシンクに設けられていることを特徴とする付記１記載の放熱機構。　
　（付記３）　前記ヒートシンクは複数の冷却フィンを有し、前記冷却ファンと前記冷却フィンは、同一平面上に配置される付記２記載の放熱機構。
　（付記４）　前記発熱性部品はプロセッサであり、前記基板はマザーボードであり、前記冷却ファンは前記マザーボードの前記プロセッサが配置される面と同一面側に設けられることを特徴とする付記１記載の放熱機構。
　（付記５）　前記放熱機構はヒートパイプを有し、前記冷却ファンは前記ヒートパイプにより伝えられる熱を冷却することを特徴とする付記１記載の放熱機構。
　（付記６）　前記ヒートパイプと前記ヒートシンクは熱的に接続されていることを特徴とする付記２記載の放熱機構。
　（付記７）　前記ヒートパイプは、前記貫通孔を通じて、前記一面と前記一面の裏面間に配置されていることを特徴とする付記５記載の放熱機構。
　（付記８）　前記冷却ファンは、前記貫通孔と連通する吸気口を有することを特徴とする付記１記載の放熱機構。
　（付記９）　第１及び第２の面と、当該第１及び第２の面を貫通する貫通孔とを有する基板と、当該基板の前記第１及び第２の面に実装される発熱性部品と、
　前記第１の面に垂直に配向して前記第１の面を放熱すると共に、前記貫通孔を介して前記第２の面を放熱する冷却ファンと、前記基板と前記冷却ファンを収納する筐体とを有する電子機器。
　（付記１０）　前記電子機器はヒートシンクを有し、前記冷却ファンは前記ヒートシンクに設けられていることを特徴とする付記９記載の電子機器。
　（付記１１）　前記ヒートシンクは複数の冷却フィンを有し、前記冷却ファンと前記冷却フィンは、同一平面上に配置される付記１０記載の電子機器。
　（付記１２）　前記発熱性部品はプロセッサであり、前記基板はマザーボードであり、前記冷却ファンは前記マザーボードの前記プロセッサが配置される面と同一面側に設けられることを特徴とする付記９記載の電子機器。
　（付記１３）　前記電子機器は、ヒートパイプを有し、前記冷却ファンは前記ヒートパイプにより伝えられる熱を冷却することを特徴とする付記９記載の電子機器。
　（付記１４）　前記冷却ファンは、前記貫通孔と連通する吸気口を有することを特徴とする付記９記載の電子機器。